(57)【要約】【課題】トランペットなどの金管楽器のマウスピースであって、該金管楽器が吹き易く、又良好な音質を発生することが出来るマウスピースの提供。【解決手段】唇が触れる領域、すなわちリム外周面１１、正面１２、カップ内面１３に細かい無数の凹凸から成る梨地面を形成することで、唇の肌当りが良くなり、滑りを防止することが出来、演奏中に唇がズレてミスすることを極力防止し、又演奏の疲れを緩和する役目を成す。【選択図】　　　　図１
2004061573.tif 000002
【特許請求の範囲】
【請求項１】
トランペットやフルート等の金管楽器のマウスピースにおいて、唇が触れる領域に細かい無数の凹凸からなる梨地面を形成したことを特徴とする金管楽器のマウスピース。
【請求項２】
トランペットやトロンボーン等のマウスピースにおいて、マウスパイプに嵌るシャンクの外周面に細かい無数の凹凸から成る梨地面を形成したことを特徴とする金管楽器のマウスピース。
【請求項３】
トランペットやトロンボーン等のマウスピースにおいて、カップの内面に細かい無数の凹凸から成る梨地面を形成したことを特徴とする金管楽器のマウスピース。
【発明の詳細な説明】
【０００１】
【発明の属する技術分野】
本発明はトランペットやフルート等を使用する際に、口に当てがうマウスピースに関するものである。
【０００２】
【従来の技術】
金管楽器にも色々な種類があるが、トランペットはその代表的な楽器の１つである。図５は一般的なトランペットの外観を示しているが、マウスピースから吹き込まれたエアーはマウスパイプ、チューニングスライド、ピストン、第１ピストン・スライド管、第２ピストン・スライド管、第３ピストン・スライド管を流れて音の振動が先端のベルから放出される。
【０００３】
ところで、本発明が対象とするマウスピースは口に当ててエアーを吹き込む重要な部分であり、図６はトランペットの上記マウスピースを独立して表している。マウスピースは「リム（イ）」、「カップ（ロ）」、「スロート（ハ）」、「ボア（ニ）」、「バックボア（ホ）」、「シャンク（ヘ）」の各部で構成している。
【０００４】
「リム（イ）」は唇が触れ合う部分であり、内径、幅、エッジ角度、形状、バイト等の違いで音が驚くほど変化する。
「カップ（ロ）」は大きく分けてＵカップ、Ｖカップの２つの形状があり、その深さと合わさって音色に重要な意味をもたらす。俗に、Ｕカップは丸い音となり、Ｖカップは鋭い音になる。そして浅いカップは高音域に行きやすく，深いカップは大きな音が出やすい。
【０００５】
「スロート（ハ）」、「ボア（ニ）」、「バックボア（ホ）」は抵抗感に直接関係している。スロート（ハ）、ボア（ニ）、バックボア（ホ）が細い場合、エアーが入りにくく抵抗感が強くなる。逆に太い場合には息が良く入るために音は良く出る。他にはバックボア（ホ）のテーパー角（広がり具合）も重要と成る。
「シャンク（ヘ）」は厚みや角度などで音程や音色が変わる。
【０００６】
このように、マウスピースはトランペットの先端ベルから出る音を発生する入口であり、微妙なことで音程や音色等に影響する。特にリム（イ）及びカップ内面は唇が直接触れる部分であり、唇の触れ方によっても音に影響が出てくるわけであるが、演奏中に該カップ内面を拭くことが多い。これは唇から出る唾が付着して滑りやすくなり、又音に影響する為である。
【０００７】
そこで、従来では滑り止めを目的としてリム（イ）からカップ内面にかけてリング状のシールを貼り付ける場合がある。そして該シールは定期的に交換することが出来るが面倒であり、口当たりは決して良くない。
【０００８】
【発明が解決しようとする課題】
このように金管楽器のマウスピースは非常に重要な部分である。本発明は金管楽器を吹き易く、又良好な音質を発生することが出来るマウスピースを提供する。ここで、対象とする金管楽器は、上記トランペットの他にフリューゲルホルン、コルネット、ホルン、フルート等あらゆる物を対象とする。
【０００９】
【課題を解決する為の手段】
本発明に係るマウスピースはカップ内面、リム、又はシャンク外周面を梨地面とし、細かい無数の凹凸を形成している。凹凸の加工方法は限定しないが、一般には砂打ちと称される加工方法が採用される。唇が触れる部分に凹凸を有する梨地面を形成することで、当りが安定して滑り難くなると共に、適度な保水効果が得られて発生する音質が良くなる。
【００１０】
又、シャンクの外周面に形成される梨地面は、マウスピースをマウスパイプに安定して嵌合することが出来る。すなわち、従来のようにシャンク外周面が滑らかである場合、マウスパイプ内周面との接触面積が大きくなって、嵌める際の摩擦によって常に一定の嵌合を維持することが出来ない。そこで、シャンク外周面を梨地面をすることで無数の凸部が形成され、マウスパイプ内周面との接触面は小さくなると共に、嵌める際の摩擦も小さくなって、常に一定の嵌合状態となる。そして、このマウスピースの嵌合状態が音に影響する。以下、本発明に係る実施例を図面に基づいて詳細に説明する。
【００１１】
【実施例】
図１はトランペットのマウスピース断面を示している実施例である。同図の１はリム、２はカップ、３はスロート、４はボア、５はバックボア、６はシャンクを夫々表している。このマウスピースはトランペットのマウスパイプに着脱可能に取付けられるが、シャンク６がマウスパイプに嵌合する。従って、該シャンク６は先端側が僅かに細くテーパー状に成っている。
【００１２】
そして、シャンク６の外周面７は滑らかな曲面ではなく梨地面をなし、無数の細かい凹凸面を形成している。図２はシャンク６がマウスパイプ８に嵌合した断面拡大図を示しているが、マウスパイプ内周面９には凸部１０，１０・・が接し、シャンク全体としての実質接触面積は小さく成っている。従って、シャンク６がマウスパイプ６に嵌る際の、内周面９との間の接触摩擦は小さくなり、片当り状態で嵌合することはない。すなわち、マウスピースの嵌合状態は常に安定する。
【００１３】
一方、本発明のマウスピースは上記シャンク６の外周面に限らず、リム１の外周面１１から正面１２、及びカップ２の内面１３にかけての領域を梨地面とする。該リム１及びカップ２はトランペットを吹く際に、唇が直接触れる部分であり、この部分を梨地面とすることで、唇が滑ることなく安定し、又発生する音に影響する。
【００１４】
特に、リム１の正面１２に形成される梨地面は唇との肌当りを良くし、滑りを防止することが出来る。又カップ２の内面１３に形成される梨地面はトランペットから発する音を良くする効果がある。該内面１３の梨地面と音との関係は、理論的な解明は定かではないが、保水効果に基づくと推定される。
【００１５】
図３は内面１３の拡大図を表しているが、無数の凸部１４，１４・・と凹部１５，１５・・が形成された梨地面である。このように内面１３が梨地面と成ることで、凹部１５，１５・・には口から出る唾１６，１６・・が溜まり、この唾１６，１６・・によって保水効果が音に影響すると考えられる。勿論、保水効果が具体的にどのように作用するかは明らかでないが、内面１３に梨地面を形成することで良い音が得られることが、多くのテストによって明らかになっている。
【００１６】
図４はフルートを示しているが、該フルートのマウスピース１７はトランペットのマウスピースとはその形態が大きく違っている。しかし、該フルートを吹く際に唇が触れるマウスピース１７の表面には、同じく無数の細かい凹凸を形成し、梨地面としている。特にフルートはトランペットを吹く場合とは異なり、唇が滑り易いが、この滑りを防止することが出来る。
【００１７】
以上述べたように、本発明のマウスピースは唇が触れる場所、及びその他の領域に梨地面を形成したものであり、次のような効果を得ることが出来る。
【００１８】
【発明の効果】
本発明に係る金管楽器のマウスピースには梨地面を形成している。この梨地面は演奏する際に唇が触れる場所であるならば、唇の肌当りを良くすると共に、滑りを防止することが出来る。従って、演奏中に唇がズレてミスすることを極力防止出来る。又肌当りが良くなることで、長時間にわたる演奏の疲れを緩和する効果もある。
【００１９】
一方、トランペット等のマウスピースであれば、シャンク外周面を梨地面とすることで、マウスパイプに嵌り易く、しかも嵌合状態が一定化し、発生する音は常に安定する。そして、カップ内面を梨地面とするならば、梨地面の凹部に唾が溜まって保水効果が得られ、これが音に良い影響を及ぼす。
【図面の簡単な説明】
【図１】本発明に係るマウスピースの具体例。
【図２】マウスピースのシャンクがマウスパイプに嵌合した場合の断面拡大図。
【図３】カップ内面に唾が溜まった状態。
【図４】フルートの外観図。
【図５】トランペットの外観。
【図６】トランペットのマウスピース。
【符号の説明】
１　リム
２　カップ
３　スロート
４　ボア
５　バックボア
６　シャンク
７　外周面
８　マウスパイプ
９　内周面
１０　凸部
１１　外周面
１２　正面
１３　内面
１４　凸部
１５　凹部
１６　唾
１７　マウスピース
【図１】
2004061573.tif 000003
【図２】
2004061573.tif 000004
【図３】
2004061573.tif 000005
【図４】
2004061573.tif 000006
【図５】
2004061573.tif 000007
【図６】
2004061573.tif 000008